(57)【要約】【課題】  操作性が良く、丈夫で確実に防犯可能なハンドルロック器具のロック構造を提供する。【解決手段】  ロック桿１の横方向にロック芯２が設置され、ロック桿１には別に槽孔１１が成形され、槽孔外側には停止桿１２が設置される。またロック桿１の一端の内側に回転体３が設置され、回転体３は槽孔２に対応する位置に挟持体３１が凸設され、槽孔１１から出る。また回転体３はロック芯２によって動き、挟持体３１を連動して槽孔１１内で回転する。ロック芯２は連動塊２１、ロック栓２２を含み、ロック芯２は連動塊２１によってロック栓２２を連動し、回転体３を回転させたり、停止を解除したりする。回転体３は、ロック栓２２に対応し、偏心孔３３１が成形され、そこからロック栓２２が出入りする。回転体３に弾性体３５を設置し、回転体３及び挟持体３１を自動復位させる。【選択図】    図１
0003116872.tif 000002
【実用新案登録請求の範囲】
【請求項１】
ロック桿横方向にロック芯が設置され、ロック桿には別に槽孔が設置され、槽孔外側には停止桿が設置され、ロック桿一端の内側に回転体が設置され、回転体の槽孔に対応する位置には挟持体が凸設され、槽孔から取り出し可能であり、回転体は挟持体に連動して槽孔内で回転するハンドルロック器具のロック構造であって、
ロック芯は連動塊、ロック栓を備え、ロック芯は連動塊によってロック栓を動かし、回転体を停止させたり、停止を解除したりすることを特徴とするハンドルロック器具のロック構造。
【請求項２】
前記回転体には、ロック栓に対応して偏心孔を設置し、ロック栓によって移動して回転体の偏心孔に出入することを特徴とする請求項１記載のハンドルロック器具のロック構造。
【請求項３】
前記回転体は、内部にロック芯台、ロック栓カバーを有し、ロック芯台は回転体に相対して枢設され、ロック栓カバーは回転体に固定され、ロック芯台にロック芯及び連動塊、ロック栓が納置されて対応し、ロック栓は横向きであり、ロック芯台に偏心納置され、ロック栓カバーは偏心孔に対応して設置され、そこにロック栓が入って出入可能であり、回転体はロック芯に対応して滑動槽が設置され、底にロック芯が入って滑動回転することを特徴とする請求項１記載のハンドルロック器具のロック構造。
【請求項４】
前記回転体は、弾性体を設置し、回転体が自動復位することを特徴とする請求項１記載のハンドルロック器具のロック構造。
【請求項５】
前記回転体は、挟持体台を設置し、挟持体台は槽孔位置に対応して挟持体を凸設し、槽孔から出すことを特徴とする請求項１記載のハンドルロック器具のロック構造。
【請求項６】
前記ロック栓は、掛合槽を設置して回転体を停止し、回転体はロック栓及び掛合槽に対応して滑動槽を設置し、ロック栓が回転することによって掛合槽が回転体の滑動槽に入り、ロック栓が滑動槽で滑動したり、停止を解除し、ロック栓で回転し、掛合槽を回転させ、ロック栓が滑動槽内に掛合され、回転体が停止されることを特徴とする請求項１記載のハンドルロック器具のロック構造。
【考案の詳細な説明】
【技術分野】
【０００１】
本考案は、ハンドルロック器具のロック構造に関し、特に回転体の挟持体によって、ハンドルの周辺縁を停止させるロック器具に関する。
【背景技術】
【０００２】
今日のハンドルロック器具の構造は、大部分がロック桿上にロック芯を設置し、ロック桿内に伸縮桿を設置する。ロック芯によって、伸縮桿が上下に伸縮移動してロックする。ロック桿及び伸縮桿の一端は各々前後掛合板が設置され、その前後掛合板はハンドル周辺縁でロックされ、ハンドルを回転できなくする。
【考案の開示】
【考案が解決しようとする課題】
【０００３】
しかしながら、これらの構造は、ハンドル上でロックされている時、先ず伸縮桿をロック桿内から出さなければならないので、狭い車内の空間では、伸縮桿を引き出す時に注意を怠ると、車内の他の物品にぶつかってしまい、場合によってガラスを割ってしまい、怪我することもあり、使用上非常に不便であり、危険である。
【０００４】
別のハンドルロック器具として、ロック桿上に封鎖された半円状の停止桿を設置するものがある。ロック桿内には回転体を内に設置し、且つ回転体上にロック桿が突出し、桿体の挟持体を設置する。挟持体をハンドルに挟んで掛合し、ロック芯をロックすると、停止桿が挟持体外端で封鎖し、ハンドルをロックする。
【０００５】
前述のハンドルロック器具は、ロック桿に対して横向きにロック芯を設置し、ロック桿には槽孔が成形され、且つ槽孔外側には停止桿が設置される。またロック桿一端には中に回転体が設置され、その回転体ロック芯によって直接ロックしたり、ロックを解除したりする。使用者が回転体を回転させると、挟持体が連動して槽孔内で回転する。
【０００６】
しかしながら、このハンドルロック器具は、ロック芯のロック栓が径方向に直接回転体を停止させるため、操作時に鍵を完全に回転させなかったり、無理に回転させたりすると、壊れてしまうことがある。
【０００７】
解決しようとする問題点は、操作が不便であり、壊れやすく、確実な防犯ができない点である。
したがって本考案の目的は、操作性が良く、丈夫で確実に防犯可能なハンドルロック器具のロック構造を提供することにある。
【課題を解決するための手段】
【０００８】
上述の目的を達成するために、本考案の請求項に記載のハンドルロック器具のロック構造は、ロック桿の横方向にロック芯が設置され、ロック桿には別に槽孔が成形され、且つ槽孔外側には停止桿が設置される。またロック桿の一端の内側に回転体が設置され、その回転体は槽孔に対応する位置に挟持体が凸設され、槽孔から出る。また回転体はロック芯によって動き、挟持体を連動して槽孔内で回転する。ロック芯は連動塊、ロック栓を含み、ロック芯は連動塊によってロック栓を連動し、回転体を回転させたり、停止を解除したりする。回転体は、更にロック栓に対応し、偏心孔が成形され、そこからロック栓が出入りする。回転体に弾性体を設置し、回転体及び挟持体を自動復位させることを最も主要な特徴とする。
【０００９】
本考案のハンドルロック器具のロック構造は、下述の利点がある。
本考案のロック栓は軸方向垂直に回転体をロックする。ロック栓が回転体から完全に出ていない場合、回転体は回転しないため、ロック芯を無理に回転させて壊してしまうことがない。
【００１０】
本考案は、弾性体によって、回転体及び挟持体を自動復位させる。ロック時、挟持体をハンドルに確実に停止させ、操作が簡易で、安全であり、更にハンドルは縦横移動ができないので、確実に防犯可能である。
【考案を実施するための最良の形態】
【００１１】
以下、本考案の実施例を図面に基づいて説明する。
図１から図３に示すように、本考案の第一実施例によるハンドルロック器具のロック構造は、ロック桿１にロック芯２を横向きに差し込む。ロック桿１には槽孔１１が成形され、且つ槽孔１１外側には停止桿１２が設置される。ロック桿１の別端には先端蓋１３が設置され、内面には嵌合管１４及び固定ピン１５、１６が設置される。ロック桿１の一端から回転体３を入れて内に設置し、回転体３には槽孔１１と対応する位置に挟持体３１が設置され、槽孔１１に差し込む。この回転体３及び挟持体３１は、槽孔１１内で回転する。
【００１２】
ロック芯２は、連動塊２１、ロック栓２２を含み、ロック芯２は連動塊２１によってロック栓２２が動く。ロック栓２２には別に弾性部品２２１が設置され、常態時は出た状態で、ロック栓２２によって回転体３を停止させたり、停止を解除したりする。本実施例中、回転体３はロック栓２２に対応して偏心孔３３１に設置され、ロック栓２２の移動により、回転体３の偏心孔３３１で伸縮し、回転体３を停止させたり、停止を解除したりする。
【００１３】
本考案の第一実施例による回転体３は、ロック芯台３２、ロック栓カバー３３を含む。更に回転体３にはロック芯２に対応して滑動槽３４が設置され、他に穿孔３５が設置される。ロック芯台３２には偏心箇所に柱孔３２１が設置され、他に凸ピン３２２が設置される。また、ロック栓カバー３３は、偏心孔３３１が設置される他に、ロック栓カバー３３円周側に溝槽３３２が設置され、滑動槽３４が伸びて滑動溝３４１が成形される。
【００１４】
これらによって、ロック芯台３２とロック栓カバー３３は共に回転体３内に挿入され、固定ピン１６をロック桿１と滑動溝３４１に挿し込み、ロック芯台３２をロック桿１に固定する。但し、回転体３は固定ピン１６を滑動溝３４１に嵌合させて滑らせる状態にするので、ロック桿１は一定角度で回転する。他にロック芯台３２は、凸ピン３２をロック栓カバー３３の溝槽３３２に嵌合滑動させ、固定ピン３３３を回転体３の穿孔に挿し込み、ロック栓カバー３３を固定する。ロック芯台３２とロック栓カバー３３は相対して枢設回転する。
【００１５】
このため、ロック芯台３２は、回転体３と相対して枢設され、ロック栓カバー３３は回転体３に固定される。ロック芯台３２は偏心位置に柱孔３２１によって、ロック芯２及び連動塊２１、ロック栓２が納置され、ロック栓２横向き且つ偏心でロック芯台３２に納置される。ロック栓カバー３３には、前述の偏心孔３３１を設置し、ロック栓２２で出し入れする。回転体３はロック芯２に対応して滑動槽３４を設置し、ロック芯２を相対して滑動回転する。
【００１６】
回転体３は更に弾性体３５を設置する。この弾性体３５一端に回転体３の挟持体台３６を掛合固定し、弾性体３５の別一端には、ロック桿１の嵌合管１４に固定して、回転体３を自動的に復位させる。
回転体３には、更に挟持体台３６を設置し、その挟持体台３６は、槽孔１１の位置に対応して、ネジ孔３６１が設置され、そこに挟持体３１のネジ紋３１１に螺設し、挟持体３１を槽孔１１から出す。
【００１７】
使用時、図４及び図５に示すように、ロックするハンドルＡに対し、ロック芯２を開き、そのロック芯２は、連動塊２１によって、ロック栓２が動き弾性部品２２１を押し、ロック栓カバー３３の偏心孔３３１から出て、回転体３はロックが解かれた状態になる。そこで回転体３を回転させて弾性体３５を捻り、二個の挟持体３１を槽孔１１で回転し、停止桿１２を抜き、ロック桿１上の停止桿１２をハンドルＡの周辺縁上(図５参照)に掛合した後、回転体３を反対方向に回転して定位させる。もしくは本実施例中では回転体３を開くと、弾性体３５が回転体３を復位し、二本の挟持体３１が停止桿１２箇所で停止し、鍵(図未提示)を緩めると、ロック芯２のロック栓２が弾性部品２２１によって復位する。またロック栓カバー３３の偏心孔３３１まで伸ばし、ロック栓カバー３３及び回転体３を停止させ、鍵を抜くと鍵がかかる。
【００１８】
この時、ハンドルＡの補強凸は、二本の挟持体３１の間で嵌合されているため、左右横向きに動かず、また上下縦方向にも動かない。そのため、このハンドルＡは完全にロック桿１によってロックされ、任意に回転できないため、盗難防止効果を具える。
【００１９】
ロックを外す時は、鍵でロック芯２を回転させるだけで、ロック芯２のロック栓２２によって回転体３を閉じないようにし、回転体３を再度回すと、二本の挟持体３１が動いて槽孔１１内で回転し、停止桿１２を外す。ハンドルＡの補強凸Ｂに二本の挟持体３１が嵌合されなくなるので、ハンドルＡ周辺縁上に横向きに設置された停止桿１２を取り外す。ロック桿１がハンドルＡから外れると、簡単にロックが解かれる。
【００２０】
図６に示すように本考案の第二実施例によるハンドルロック器具のロック構造は、ロック桿１Ａ、ロック芯２Ａ、回転体３Ａを含む。ロック桿1Ａには槽孔１１Ａが成形され、且つ槽孔１１Ａ外側には停止桿１２Ａが設置される。ロック桿１Ａには別に先端蓋１３Ａが設置され、ロック桿１Ａ内側には嵌合管１４Ａが成形される。またロック桿１Ａ一端付近には筒体１７Ａが設置され、そこにロック芯２Ａが設置される。このロック芯２Ａは連動塊２１Ａ、ロック栓２２Ａを含み、且つロック芯２Ａは連動塊２１Ａによってロック栓２２Ａが動く。ロック栓２２Ａには別に弾性部品２２１Ａが設置されて常態時出ている。またロック栓２２Ａには掛合槽２２２Ａが設置され、回転体３Ａを停止させたり、停止を解除したりする。尚、本実施例中、回転体３Ａはロック栓２２Ａ及びその掛合槽２２２Ａに対応して滑動槽３４Ａに設置する。またロック栓２２Ａを回転し、掛合槽２２２Ａが回転体３Ａの滑動槽３４Ａを引き入れ、ロック栓２２Ａが滑動槽３４Ａに於いて滑動移動したり、停止を解除したりする。ロック栓２２Ａが回転し、掛合槽２２２Ａが向きを変えると、ロック栓２２Ａは滑動槽２２Ａないで掛合し、回転体３Ａによって掛合される。
【００２１】
回転体３Ａには、挟持体台３６Ａ及びそのネジ孔３６１Ａが設置され、槽孔１１Ａ位置に対応して挟持体３１Ａを設置し、槽孔１１Ａに差し込む。この回転体３Ａは、槽孔１１Ａ内で回転し、且つ回転体３Ａには弾性体３５Ａも設置される。この弾性体３５Ａ一端には回転体３Ａの挟持体台３６Ａが固定され、弾性体３５Ａ別一端はロック桿１Ａの嵌合管１４Ａに固定され、回転体３が自動復位する。
【図面の簡単な説明】
【００２２】
【図１】本考案の第一実施例によるハンドルロック器具のロック構造を示す分解図である。
【図２】本考案の第一実施例によるハンドルロック器具のロック構造を示す立体図である。
【図３】本考案の第一実施例によるハンドルロック器具のロック構造の局部断面(閉鎖)を示す図である。
【図４】本考案の第一実施例によるハンドルロック器具のロック構造の開放状態を示す図である。
【図５】本考案の第一実施例によるハンドルロック器具のロック構造の使用状態を示す図である。
【図６】本考案の第二実施例によるハンドルロック器具のロック構造を示す分解図である。
【符号の説明】
【００２３】
１  ロック桿、２  ロック芯、３  回転体、１１  槽孔、１２  停止桿、１３  先端蓋、１４  嵌合管、１５  固定ピン、１６  固定ピン、２１  連動塊、２２  ロック栓、３１  挟持体、３２  ロック芯台、３３  ロック栓カバー、３４  滑動槽、３５  弾性体、３６  挟持体台、３７  穿孔、２２１  弾性部品、３１１  ネジ紋、３２１  柱孔、３２２  凸ピン、３３１  偏心孔、３３２  溝槽、３４１  滑動溝、３６１  ネジ孔、Ａ  ハンドル、Ｂ  補強凸、１Ａ  ロック桿、２Ａ  ロック芯、３Ａ  回転体、１１Ａ  槽孔、１２Ａ  停止桿、１３Ａ  嵌合管、１７Ａ  筒体、２１Ａ  連動塊、２２Ａ  ロック栓、３１Ａ  挟持体、３４Ａ  滑動槽、３５Ａ  弾性体、３６Ａ  挟持体台、２２１Ａ  弾性部品、２２２Ａ  掛合槽、３６１Ａ  ネジ孔
【図１】
0003116872.tif 000003
【図２】
0003116872.tif 000004
【図３】
0003116872.tif 000005
【図４】
0003116872.tif 000006
【図５】
0003116872.tif 000007
【図６】
0003116872.tif 000008